(57)【特許請求の範囲】
【請求項１】
板形状を有する導光板と、光源部とを備え、
前記光源部は、
前記導光板の一端面の長さ以内に収まる長さを有する直管型の蛍光管と、
前記蛍光管の端部付近に配置された小光源と、
を備えることを特徴とする面光源ユニット。
【請求項２】
板形状を有する導光板と、光源部とを備え、
前記光源部は、前記導光板の端面に沿って配置されたＬ字型あるいはコ字型の蛍光管と、前記蛍光管の端部付近に配置された小光源と、
を備えることを特徴とする面光源ユニット。
【請求項３】
請求項１又は請求項２において、
前記導光板は一部が切り欠かれた切欠き部を備え、
前記小光源は前記切欠き部に沿って配置されていることを特徴とする面光源ユニット。
【請求項４】
請求項１乃至請求項３のいずれかにおいて、
前記小光源は発光ダイオードであることを特徴とする面光源ユニット。
【請求項５】
請求項１乃至請求項３において、
前記小光源はＥＬ（Electro  Luminescence）であることを特徴とする面光源ユニット。
【請求項６】
請求項４において、前記発光ダイオードは白色の発光ダイオードであることを特徴とする面光源ユニット。
【請求項７】
請求項５において、前記ＥＬ（Electro  Luminescence）は白色であることを特徴とする面光源ユニット。
【請求項８】
請求項４または請求項５において、
前記小光源は蛍光管と同一色度であることを特徴とする光源ユニット。
【請求項９】
請求項４または請求項５において、
前記発光ダイオードはチップ実装型の発光ダイオードであることを特徴とする面光源ユニット。
【請求項１０】
請求項１乃至請求項９のいずれかにおいて、
前記光源部の周囲を前記導光板の側を除いてほぼ包み、前記光源部からの光を前記導光板に向けて反射するリフレクタをさらに備えることを特徴とする面光源ユニット。
【請求項１１】
請求項１ないし請求項１０のいずれかにおいて、
底面部を有し、前記導光板を背面側から固定する導光板固定枠をさらに備えることを特徴とする面光源ユニット。
【請求項１２】
請求項１１において、
前記導光板固定枠は、前記底面部から立設されて前記導光板の他の端面に当接して、前記導光板を前記底面部とほぼ平行な面内の所定位置に位置決めする、複数の第３位置決め部を有することを特徴とする面光源ユニット。
【請求項１３】
請求項１２において、
前記複数の第３位置決め部は、前記導光板の端面を覆う平面状に形成されていることを特徴とする面光源ユニット。
【請求項１４】
請求項１１乃至請求項１３のいずれかにおいて、
前記導光板固定枠と前記リフレクタとが、所定形状に一体形成されていることを特徴とする面光源ユニット。
【請求項１５】
請求項１乃至請求項１４のいずれかに記載の面光源ユニットと、
前記面光源ユニットの前面側に配置される表示パネルと、
を備えることを特徴とする表示装置。
【請求項１６】
請求項１１乃至請求項１４のいずれかに記載の面光源ユニットと、
前記面光源ユニットの前面側に配置される表示パネルと、
第２枠部を備え、前記表示パネルを背面側から固定し、かつ、前記面光源ユニットを前面側から固定するスペーサと、
を備え、
前記導光板固定枠と前記スペーサとが一体形成されていることを特徴とする表示装置。
【請求項１７】
請求項１６において、
前記導光板固定枠と前記スペーサとに共通な一辺には、前記導光板固定枠と前記スペーサとの境界線に切り込み部が形成されていることを特徴とする表示装置。
【請求項１８】
請求項１６または請求項１７において、
前記スペーサは、前記面光源ユニットの方向に向けて前記第２枠部から立設された第２立設部を有することを特徴とする表示装置。
【請求項１９】
請求項１６乃至請求項１８のいずれかにおいて、
前記スペーサは、前記第２枠部から立設されて前記表示パネルの端面に当接して、前記表示パネルを前記第２枠部とほぼ平行な面内の所定位置に位置決めする複数の第２位置決め部を有することを特徴とする表示装置。
【請求項２０】
請求項１６乃至請求項１９のいずれかにおいて、
前記表示パネルは、表示領域と、前記表示領域の周囲に形成された周辺回路領域と、を備え、
前記スペーサの前記第２枠部は、前記周辺回路領域に対応する位置に形成されていることを特徴とする表示装置。
【請求項２１】
請求項１6乃至請求項２０のいずれかにおいて、
前記導光板固定枠の４辺により囲まれる面積は、前記スペーサの４辺により囲まれる面積より小さいことを特徴とする表示装置。
【請求項２２】
請求項１５乃至請求項２１のいずれかに記載の表示装置を表示手段として有することを特徴とする電子機器。
【発明の詳細な説明】
【０００１】
【発明の属する技術分野】
本発明は、面光源ユニットならびにそれを備えた表示装置および電子機器に関する。
【０００２】
【背景技術および発明が解決しようとする課題】
液晶表示装置などの表示装置に用いられる面光源ユニットとして、導光板の一つの端面に沿って光源を配置し、導光板の残りの端面および導光板の背面を光反射性を備える固定枠で覆って形成したものがある。また、このような面光源ユニットにおいては、光源からの光の殆どを導光板に向かわせるために、光源を導光板側を除いて覆い導光板に向けて光を反射させるリフレクタを用いることが一般的である。
【０００３】
そして、光源としては、エネルギー効率の高い蛍光管例えば冷陰極管が用いられることが多い。蛍光管は、その両端付近に電極や保持部を備えており、その近傍においては発光が少ないという性質を持っている。そのため、導光板の幅とほぼ等しい長さの蛍光管を導光板の一端面に沿って配置すると、蛍光管の端部付近に対応する位置の導光板からの光の放出が少ないという問題が起きる。
【０００４】
そこで、適切な明るさを持つ蛍光管の中央部分のみが導光板の一辺に沿って配置されるように、蛍光管の長さを導光板の対応する一辺より長くして、蛍光管の端部付近が導光板の対応する一辺からはみ出すように配置することが考えられる。しかしながら、このように蛍光管を長くして導光板の対応する一辺からはみ出させるようにすると、発光面の領域は同様であるにも拘わらず、面光源ユニット全体としての外形が大きくなってしまう。そして、そのような面光源ユニットを用いた表示装置は表示領域以外の部分が大きくなってしまうため、表示装置における狭額縁化の趨勢に逆行してしまう。さらには、蛍光管の大型化に伴って重量や消費電力も増加してしまう。
【０００５】
本発明は、上記のような点に鑑みてなされたものであり、その目的は、導光板から放出される光量が、その面内でほぼ均一であり、外形に対する発光面面積の割合が高い、面光源ユニットならびにそれを備えた表示装置および電子機器を提供することにある。
【０００６】
【課題を解決するための手段】
（１）  本発明に係る面光源ユニットは、
板形状を有する導光板と、光源部とを備え、
前記光源部は、
前記導光板の一端面に長さ以内に収まる長さの直管型の蛍光管と、
前記蛍光管の端部付近に配置された小光源と、
を備えることを特徴とする。
【０００７】
本発明によれば、導光板の端面に沿って配置された光源部は、蛍光管と、蛍光管の端部付近に配置された小光源とを有する。したがって、光源部は、電極や保持部を備えており蛍光管の発光量が小さい端部付近の光量を小光源によって補って、導光板の一端面の長さ方向に沿ってほぼ均一な光量を放射することができる。それによって、蛍光管の端部付近に対応する位置の導光板からの光の放出量も他の領域からの光の放出量とほぼ等しくすることができる。
【０００８】
しかも、蛍光管の長さは導光板の一端面の長さに収まる長さとすることが可能となり、蛍光管が導光板の一辺から長さ方向にはみ出さないように配置することができる。したがって、そのようなはみ出しによって、面光源ユニット全体としての外形が大きくなってしまうことがない。
【０００９】
（２）  本発明に係る面光源ユニットは、板形状を有する導光板と、光源部とを備え、
前記光源部は、前記導光板の端面に沿って配置されたＬ字型あるいはコ字型の蛍光管と、前記蛍光管の端部付近に配置された小光源と、を備えることを特徴とする。
【００１０】
本発明によれば、導光板の端面に沿って配置された光源部は、Ｌ字型あるいはコ字型の蛍光管と、蛍光管の端部付近に配置された小光源とを有する。したがって、光源部は、（１）の構成と同様に、電極や保持部を備えており蛍光管の発光量が小さい端部付近の光量を小光源によって補って、導光板の一端面の長さ方向に沿ってほぼ均一な光量を放射することができる。それによって、蛍光管の端部付近に対応する位置の導光板からの光の放出量も他の領域からの光の放出量とほぼ等しくすることができる。しかも、蛍光管はＬ字型あるいはコ字型で導光板を囲むように形成できるため、光源の面積が大きくなり、導光板に対して、より均一にな光量を放射することが可能となり、輝度むらを抑えることができる。
【００１１】
（３）  本発明に係る面光源ユニットは、
前記導光板は一部が切り欠かれた切欠き部を備え、
前記小光源は前記切欠き部に沿って配置されていることを特徴とする。
【００１２】
本発明によれば、小光源からの光を切欠き部の端面から導光板に入射させ、蛍光管からの光を切欠き部以外の端面から入射させることが可能となる。したがって、蛍光管および小光源のいずれも導光板の端面に近接させた状態で光を導光板に入射させて、蛍光管および小光源から導光板に直接入射する光の割合を高くでき、それによって高いエネルギー効率を得ることができる。
【００１３】
（４）  本発明に係る面光源ユニットは、
前記小光源は発光ダイオードであることを特徴とする。
【００１４】
本発明によれば、小光源が発光ダイオードであるため、小型でありながら高い発光効率を確保することができる。
【００１５】
（５）  本発明に係る面光源ユニットは、
前記小光源はＥＬ（Electro  Luminesence)であることを特徴とする。
【００１６】
本発明によれば、小光源がＥＬ（Electro  Luminesence)であるため、小型でありながら高い発光効率を確保することができる。
【００１７】
（６）  前記発光ダイオードは白色の発光ダイオードであることを特徴とする。
【００１８】
本発明によれば、たとえば本発明の面光源ユニットをカラーの表示装置に用いた場合、発光ダイオードが３原色組み合わせ方式の白色ダイオードであるため、可視領域においてバランスのとれた分光エネルギー特性とすることができ、カラー表示に適した面光源ユニットが得られる。
【００１９】
但し、低消費電力の観点からブルーを基調として、表面にイエローフィルムをコーティングした白色ＬＥＤでもよい。
【００２０】
（７）  前記ＥＬは白色で発光することを特徴とする。
【００２１】
本発明によれば、たとえば本発明の面光源ユニットをカラーの表示装置に用いた場合、ＥＬが３原色組み合わせ方式の白色ＥＬであるため、可視領域においてバランスのとれた分光エネルギー特性とすることができ、カラー表示に適した面光源ユニットが得られる。
【００２２】
（８）  本発明に係る面光源ユニットは、前記小光源は蛍光管と同一色であることを特徴とする。
【００２３】
（９）  本発明に係る面光源ユニットは、
前記発光ダイオードはチップ実装型の発光ダイオードであることを特徴とする。
【００２４】
本発明によれば、発光ダイオードがチップ実装型であるため、小型に形成することができ、小さな領域に配置することができる。例えば、発光ダイオードを導光板の切欠き部に沿って配置する場合は、必要となる切欠き部を小さくすることができるため、導光板の有効発光面積を大きくすることができる。
【００２５】
（１０）  本発明に係る面光源ユニットは、
前記光源部の周囲を前記導光板の側を除いてほぼ包み、前記光源部からの光を前記導光板に向けて反射するリフレクタをさらに備えることを特徴とする。
【００２６】
本発明によれば、光源部から導光板の端面に直接入射しない光を、リフレクタによって反射させて導光板に入射させることができるため、エネルギー効率を高めることができる。
【００２７】
（１１）  本発明に係る面光源ユニットは、
底面部を有し、前記導光板を背面側から固定する導光板固定枠をさらに備えることを特徴とする。
【００２８】
本発明によれば、導光板固定枠によって導光板の背面を保護し、背面側から導光板を固定することができる。また、導光板に面する底面部を高反射率に形成すれば、導光板の背面側に逃げる光を利用することが可能となるため、エネルギー効率を高めることができる。
【００２９】
（１２）  本発明に係る面光源ユニットは、
前記導光板固定枠は、前記底面部から立設されて前記導光板の他の端面に当接して、前記導光板を前記底面部とほぼ平行な面内の所定位置に位置決めする、複数の第３位置決め部を有することを特徴とする。
【００３０】
本発明によれば、導光板固定枠に設けられた複数の第３位置決め部によって、導光板を導光板固定枠の底面部とほぼ平行な面内の所定位置に位置決めすることができるため、導光板と導光板固定枠とを短い工数で高精度に位置合わせして製造できる。また、導光板と導光板固定枠との位置決めを、両面テープなどを用いずに行うことができるため、両面テープの貼付などのために発光面として用いることができない額縁領域ひいては外形が増加することがなく、両面テープなどによって重量や厚さが増加することもない。
【００３１】
（１３）  本発明に係る面光源ユニットは、
前記複数の第３位置決め部は、前記導光板の端面を覆う平面状に形成されていることを特徴とする。
【００３２】
本発明によれば、第３位置決め部が、光源部が配置された以外の導光板の端面を覆う平面状に形成されている。したがって、それら第３位置決め部の導光板に面する側が十分な反射率を備えれば、それら第３位置決め部によって光源部からの光利用効率を向上させることができる。
【００３３】
（１４）  本発明に係る面光源ユニットは、
前記導光板固定枠と前記リフレクタとが、所定形状に一体形成されていることを特徴とする。
【００３４】
本発明にあっては、導光板固定枠とリフレクタとが所定の形状に一体形成されているため、所定位置において導光板固定枠またはリフレクタを導光板に固定することによって、導光板固定枠およびリフレクタが所定位置において導光板に固定されることになる。したがって、導光板固定枠およびリフレクタの少なくとも一方は、両面テープなどを用いて導光板に接着する必要がなくなり、両面テープなどが介在することによる面内輝度や光の利用効率の低下を抑制することができる。また、両面テープなどを用いて接着するための工数を削減することができる。
【００３５】
（１５）  本発明に係る表示装置は、
前記いずれかの面光源ユニットと、
前記面光源ユニットの前面側に配置される表示パネルと、
を備えることを特徴とする。
【００３６】
本発明によれば、表示面内において明るさの分布がほぼ均一な表示装置が得られる。
【００３７】
（１６）  本発明に係る表示装置は、
前記（１１）ないし（１５）のいずれかの面光源ユニットと、
前記面光源ユニットの前面側に配置される表示パネルと、
第２枠部を備え、前記表示パネルを背面側から固定し、かつ、前記面光源ユニットを前面側から固定するスペーサと、
を備え、
前記導光板固定枠と前記スペーサとが一辺を共通にして一体形成されていることを特徴とする。
【００３８】
本発明によれば、導光板固定枠とスペーサとが一辺を共通にして一体形成されているため、殆ど工数を要することなく、高精度に、導光板固定枠とスペーサとの間を位置合わせして製造できる表示装置が得られる。
【００３９】
（１７）  本発明に係る表示装置は、
前記導光板固定枠と前記スペーサとに共通な一辺には、前記導光板固定枠と前記スペーサとの境界線に切り込み部が形成されていることを特徴とする表示装置。
【００４０】
本発明によれば、導光板固定枠とスペーサとに共通な一辺における、導光板固定枠とスペーサとの境界線に切り込み部が形成されているため、境界線において容易に折り曲げることによって、導光板固定枠とスペーサとを所定の位置関係として表示装置を製造することができる。
【００４１】
（１８）  本発明に係る表示装置は、
前記スペーサは、前記面光源ユニットの方向に向けて前記第２枠部から立設された第２立設部を有することを特徴とする。
【００４２】
本発明によれば、スペーサおよび面光源ユニットを所定の位置関係とした後、スペーサに設けられた第２立設部を面光源ユニットの背後に回り込むようにして折り曲げることによって、高い信頼性で一体化された表示装置を容易に形成することができる。
【００４３】
（１９）  本発明に係る表示装置は、
前記スペーサは、前記第２枠部から立設されて前記表示パネルの端面に当接して、前記表示パネルを前記第２枠部とほぼ平行な面内の所定位置に位置決めする複数の第２位置決め部を有することを特徴とする。
【００４４】
本発明によれば、スペーサに設けられた複数の第２位置決め部によって、表示パネルを第２枠部とほぼ平行な面内の所定位置に位置決めすることができるため、表示パネルとスペーサとの間を短い工数で高精度に位置合わせして製造できる表示装置が得られる。また、表示パネルとスペーサとの位置決めを、両面テープなどを用いずに行うことができるため、両面テープの貼付などのために表示が行われない額縁領域ひいては外形が増加することがなく、両面テープなどによって重量や厚さが増加することもない。
【００４５】
（２０）  本発明に係る表示装置は、
前記表示パネルは、表示領域と、前記表示領域の周囲に形成された周辺回路領域と、を備え、
前記スペーサの前記第２枠部は、前記周辺回路領域に対応する位置に形成されていることを特徴とする。
【００４６】
本発明によれば、表示パネルと面光源ユニットとの間に位置するスペーサの第２枠部が、表示領域の周辺回路領域に対応する位置に形成されているため、面光源ユニットから周辺回路領域に及ぶ光や熱を、第２枠部によって少なくとも部分的に遮断することができる。したがって、周辺回路領域に形成された回路に光や熱が及んでリーク電流（表示品位の低下）が発生する可能性を低減することができる。
【００４７】
（２１）  本発明に係る表示装置は、
前記導光板固定枠の４辺により囲まれる面積は、前記スペーサの４辺により囲まれる面積より小さいことを特徴とする。
【００４８】
本発明は、スペーサが少なくとも表示パネルの全領域に対応する平面形状を備える必要があり、導光板固定枠がほぼ表示パネルの表示領域に対応する平面形状を有する導光板に対応した平面形状を持っていればよい点を利用して、導光板固定枠の平面形状をスペーサの平面形状より小さくしたものである。これによって、導光板固定枠が小型となるため、表示領域の大きさに比し小型軽量の表示装置が得られる。
【００４９】
（２２）  本発明に係る電子機器は、前記いずれかの表示装置を表示手段として有することを特徴とする。
【００５０】
本発明によれば、表示装置について前述した作用効果を有し信頼性の高い表示手段を備えた電子機器が得られる。
【００５１】
【発明の実施の形態】
以下、本発明の好適な実施形態について、図面を参照しながら、さらに具体的に説明する。
【００５２】
１．  ＜第１実施形態＞
１．１  表示装置
本実施形態においては、本発明の表示装置の一例として、液晶を用いた表示装置である液晶表示装置を用いて説明する。図１は、本実施形態の表示装置としての液晶表示装置１０を模式的に示す分解斜視図である。図１に示すように、本実施形態の液晶表示装置１０は、表示パネルとしての液晶パネル１４と、液晶パネル１４の背面側に配置される面光源ユニットとしてのバックライトユニット４０と、バックライトユニット４０の背面側に配置されるインバータ６０とを備えている。
【００５３】
さらに、液晶表示装置１０は、図１および図２に示すように、上述した各部を保護して所定の位置関係に保つ枠部材として、液晶パネル１４の前面側に配置されるパネル固定枠１２と、液晶パネル１４とバックライトユニット４０との間に配置されるスペーサ３０と、バックライトユニット４０の一部である導光板４４の背面側に配置される導光板固定枠５６と、バックライトユニット４０の一部である光源部を覆うリフレクタ６６とを備えている。なお、本実施形態においては、パネル固定枠１２とスペーサ３０、および、スペーサ３０と導光板固定枠５６が、それぞれの対において一辺を共通にしており、全体としてつづら折状に一体形成されている。さらに導光板固定枠５６とリフレクタ６６も一辺を共通にして一体形成されている。パネル固定枠１２、スペーサ３０、導光板固定枠５６、およびリフレクタ６６は、金属例えば燐青銅またはブリキなどで形成されている。燐青銅は比抵抗が小さく強度、弾性、耐食性などの点でも優れており、特に好ましい。このように、パネル固定枠１２、スペーサ３０、導光板固定枠５６、およびリフレクタ６６が金属で形成されているため、これら枠部材は、薄型でありながら十分な強度と、高い放熱性を備えることができる。
【００５４】
また、一体形成された、パネル固定枠１２、スペーサ３０、導光板固定枠５６、およびリフレクタ６６は、１箇所（例えば導光板固定枠の一箇所）に接続された接地線によって一括接地される。このように、枠部材、すなわちパネル固定枠１２、スペーサ３０、導光板固定枠５６、およびリフレクタ６６は、金属で形成されているため、接地してシールド効果を持たせることができる。しかも、それらは一体形成されているため、容易に一括して接地でき、インバータ６０などから発生するノイズによる液晶パネル１０の表示品質に対する影響を、これら枠部材を個々に接地する場合に比べて低下させることができる。
【００５５】
そして、パネル固定枠１２とスペーサ３０、および、スペーサ３０と導光板固定枠５６のそれぞれの対において、共通な一辺の境界線には予め切り込み部が形成されている。例えば、図３は、パネル固定枠１２とスペーサ３０との共通な一辺の境界線付近を折り曲げ前の状態として示す断面図である。この図に示すように、共通な一辺における境界線には切り込み部３８が形成されており、例えば厚さ０．２５ｍｍのブリキでパネル固定枠１２とスペーサ３０を形成した場合は、厚さの１／３程度の深さを持つ切り込み部３８が適切であることが確認されている。これによって、一体形成されたパネル固定枠１２とスペーサ３０とをそれらの境界線で容易に折り曲げ加工して、パネル固定枠１２とスペーサ３０とを所定の位置関係にすることができる。なお、切り込み部３８の深さは、用いられる材料とその厚さによって適宜決定される。また、ここではパネル固定枠１２とスペーサ３０との共通な一辺における境界線に形成された切り込み部３８について説明したが、スペーサ３０と導光板固定枠５６との境界線ににおいても同様に切り込み部が形成されている。
【００５６】
液晶パネル１４は、図１に示したようにパネル固定枠１２とスペーサ３０との間に配置される。液晶パネル１４は、アクティブマトリクス基板１５と対向基板２４との間に液晶が封入され、それら基板１５，２４の外面側に偏光板８５（背面側の偏光板８４は図１において図示せず）が貼付されて形成されている。また、液晶パネル１４は、液晶注入後に液晶を密封するために、例えばＵＶ硬化樹脂などからなる封止部２２を一つの端面２３に備えている。封止部２２は、信頼性の高い封止を実現するために、例えば液晶パネル１４の端面２３と封止部２２との接触面積を多くして外部からの空気等の侵入を防止することを目的として端面２３から盛り上がった形状に形成されている。そして、液晶パネル１４には、その端子部に配線基板８２、例えばＦＰＣ（可撓性配線基板）が接続されている。
【００５７】
また、後に詳述するが、液晶パネル１４は、表示領域と、表示領域の周囲に形成された周辺回路領域とを備えて形成されている。周辺回路領域には、例えばアクティブマトリクス基板１５上に形成されたポリシリコン層に、液晶パネル１４の各画素を駆動する駆動回路、液晶パネル１４に表示する画像情報を生成する信号回路、および検査回路などの少なくともいずれかが形成されている。
【００５８】
面光源ユニットとしてのバックライトユニット４０は、図１に示したようにスペーサ３０と導光板固定枠５６との間に配置される。バックライトユニット４０は、図４に示した分解斜視図からも明らかなように、蛍光管５０、小光源としての発光ダイオード５４、導光板４４、およびレンズシート４２を備えて形成されている。
【００５９】
光源部は、蛍光管５０および発光ダイオード５４を含んで構成される。蛍光管５０には所定電圧の電源を接続するための接続部５１を介してインバータ６０の出力が接続される。蛍光管５０としては、例えば冷陰極管タイプのランプが用いられる。蛍光管５０は、その各端部の保持部５２例えばラバーホルダなどを含めた長さが、導光板４４の対応する辺の長さとほぼ等しくなっている。そのため、直管型の蛍光管５０が導光板４４の一辺から長さ方向にはみ出さないように、すなわち蛍光管５０が導光板４４の一端面の長さ以内に収まるように導光板の端面配置することができる。したがって、そのようなはみ出しによって、バックライトユニット４０全体としての外形が大きくなってしまうことがない。また、直管型の蛍光管に限らず、Ｌ字型あるいはコ字型の蛍光管を用いた場合も、蛍光管の端部付近に小光源５４を設けてもよい。このようにＬ字型あるいはコ字型の蛍光管を用いれば、より導光板に均一な光量を放射することが可能となる。小光源５４としては、３原色組み合わせによる白色で、チップ実装型の発光ダイオードが用いられている。したがって、カラー表示に適した面光源ユニットを形成することができる。また、小光源５４として発光ダイオードを用いているため、小型でありながら高い発光効率を確保することができる。なお、白黒表示のみを行う表示装置においては、小光源５４として、青色の発光ダイオードの表面に黄色の蛍光体を塗装して形成された、白色の発光ダイオードを用いてもよい。さらに、小光源５４は、発光ダイオードに限らず、白熱豆球、エレクトロルミネセンス（ＥＬ）、または白色ハロゲンランプなどの光源であってもよい。
【００６０】
導光板４４は、その一端面４５に沿って蛍光管５０および小光源５４が配置され、それらから放射される光を液晶パネル１４の全表示領域に向けて導く。導光板４４には端面４５付近の蛍光管５０の端部に対応する位置に切欠き部４８が形成されており、切欠き部４８に沿って小光源５４としてチップ実装型の発光ダイオードが配置されている。したがって、小光源５４からの光を切欠き部４８の端面４９から導光板４４に入射させ、蛍光管５０からの光を切欠き部４８以外の端面４５から入射させることが可能となる。その結果、蛍光管５０および小光源５４のいずれも導光板４４の端面４７，４９に近接させた状態で光を導光板４４に入射させて、蛍光管５０および小光源５４から導光板４４に直接入射する光の割合を高くでき、それによって高いエネルギー効率を得ることができる。また、小光源５４としてチップ実装型の発光ダイオードを用いているため小型に形成することができ、小さな領域に配置することができる。そのため、小光源５４が配置される導光板４４の切欠き部４８を小さくすることができ、それによって導光板４４の有効発光面積を大きくすることができる。
【００６１】
また、導光板４４は、蛍光管５０および小光源５４が配置された端面４５に近づくにつれて厚さが厚くなる、くさび状の断面形状に形成されている。導光板４４がこのようにくさび形の断面形状を備えることによって、導光板４４から液晶パネル１４に向けて放射される光量が蛍光管５０の付近と蛍光管５０から離れた位置とで均一化される。
【００６２】
レンズシート４２は、導光板４４の前面側に配置されて光利用効率を向上させる。
【００６３】
本実施形態のバックライトユニット４０においては、蛍光管５０が導光板４４の対応する端面４５の長さとほぼ等しい長さで形成されている。そして、蛍光管５０の両端付近の光量が少ない領域に対応して、小光源５４が導光板４４の端面４５と蛍光管５０との間に配置されている。それによって、蛍光管５０の電極や保持部５２があり発光量が小さい蛍光管５０の端部付近からの光量を小光源５４により補って、導光板４４の端面４５の長さ方向に沿ってほぼ均一な光量を放射することができる光源部が形成されている。その結果、蛍光管５０の端部付近に対応する位置の導光板４４の部分すなわち端面４７，４７付近の領域における導光板４４の前面からの光の放出量も、導光板４４の他の前面領域からの光の放出量とほぼ等しくすることができる。
【００６４】
リフレクタ６６は、蛍光管５０の周囲を導光板４４の側を除いて覆い、蛍光管５０からの光を導光板４４に向けて反射する。リフレクタ６６によって、蛍光管５０から導光板４４に直接入射しない光を、反射させて導光板４４に入射させることができるため、エネルギー効率を高めることができる。また、リフレクタ６６は固定部６８を備え、固定部６８は蛍光管５０の端部に位置する保持部５２例えばラバーホルダに当接して、蛍光管５０が長さ方向に移動しないように固定する。
【００６５】
インバータ６０は、導光板固定枠５６の背面側に配置され、バックライトユニット４０の蛍光管５０に電力を供給する。インバータ６０は、例えば入力された５Ｖの直流電圧を、２５０Ｖ、１００ｋＨｚの交流電圧として出力して蛍光管５０に供給する。インバータ５０は導光板固定枠５６を挟んでバックライトユニット４０のすぐ背面側、しかも蛍光管５０が配置される位置に近く配置されるため、蛍光管５０の接続部５１までの配線を短くすることができる。これによって、インバータ６０と蛍光管５０との間の配線からのリーク電流が小さくなり、高いエネルギー効率で蛍光管５０を発光させることができる。
【００６６】
パネル固定枠１２は、図２に示したように、第１枠部としての枠部１２ａと、液晶パネル１４の表示領域に対応した大きさの表示窓１３とを備え、液晶パネル１４を前面側から固定し物理的に保護している。パネル固定枠１２は、前述したようにスペーサ３０と一辺を共通にして一体形成されている。パネル固定枠１２とスペーサ３０との間に液晶パネル１４が収められ、共通な一辺の境界線で折り曲げられることによって、パネル固定枠１２、液晶パネル１４、およびスペーサ３０が互いに所定の位置関係となる。このように、液晶表示装置１０は、パネル固定枠１２とスペーサ３０とが一辺を共通にして一体形成されているため、殆ど工数を要することなく、パネル固定枠１２とスペーサ３０とを高精度に位置合わせして製造できる。
【００６７】
また、パネル固定枠１２は、バックライトユニット４０の方向に向けて枠部１２ａから立設された第１立設部としての立設部１２ｂを備えている。立設部１２ｂは、液晶表示装置１０が組み立てられた後に、導光板固定枠５６の背面側すなわちバックライトユニット４０の背面側に向けて折り曲げられる。このように、立設部１２ｂが折り曲げられて、パネル固定枠１２と、導光板固定枠５６を含む他の部分との一体性を保つことができる。
【００６８】
スペーサ３０は、第２枠部としての枠部３０ａを備え、液晶パネル１４とバックライトユニット４０との間に配置されて、液晶パネル１４を背面側から固定し、バックライトユニット４０を前面側から固定している。このように、液晶パネル１４とバックライトユニット４０との間にスペーサ３０が配置されていることによって、液晶パネル１４とバックライトユニット４０との間に所定の間隙が形成され、干渉縞の発生、および、液晶パネル１４の画素とバックライトユニット４０のレンズシート４２のストライプが光学的に干渉することによって生じるモアレの発生を防止している。また、液晶パネル１４とバックライトユニット４０との間にスペーサ３０を配置することによって液晶パネル１４とバックライトユニット４０との間に間隙が形成されたため、液晶パネル１４とレンズシート４２とが当接せず、レンズシート４２の傷つきや破損を防止できる。
【００６９】
また、スペーサ３０は、図１に示した矢印Ａの方向から見た斜視図である図５から明らかなように、枠部３０ａから立設された第２位置決め部としての位置決め部３０ｄを複数備えている。複数の位置決め部３０ｄは、それぞれ液晶パネル１４の端面に当接して、液晶パネル１４を枠部３０ａとほぼ平行な面内の所定位置に位置決めする。このように、スペーサ３０に液晶パネル１４を位置決めする複数の位置決め部３０ｄが設けられているため、スペーサ３０と液晶パネル１４との位置ずれが生じて、枠部３０ａによってバックライトユニット４０からの光の一部が遮られたり、バックライトユニット４０やパネル固定枠１２の表示窓１３などと液晶パネル１４との間に位置ずれが生じたりして、表示の一部が見えない状態となることを防止できる。また、これら位置決め部３０ｄによって、液晶パネル１４とスペーサ３０とを短い工数で高精度に位置合わせできる。さらに、液晶パネル１４とスペーサ３０との位置決めを、両面テープなどを用いずに行うことができるため、両面テープの貼付などのために表示が行えない額縁領域ひいては外形が増加することがなく、両面テープなどによって重量や厚さが増加することもない。
【００７０】
なお、液晶パネル１４の封止部２２がある端面２３に対向する位置決め部３０ｄは、突出する封止部２２を避けた位置に設けられて、液晶パネル１４の端面２３に当接している。したがって、突出している封止部２２の存在にも拘わらず、液晶パネル１４は、スペーサ３０の枠部３０ａとほぼ平行な面内の所定位置に安定して位置決めされて固定される。
【００７１】
さらに、スペーサ３０は、導光板固定枠５６の方向に向けて枠部３０ａから立設された第２立設部としての立設部３０ｂを備えている。立設部３０ｂは、液晶表示装置１０が組み立てられると、導光板固定枠５６の背面側に向けて折り曲げられて導光板固定枠５６に当接する状態となる。したがって、スペーサ３０、バックライトユニット４０、およびバックライト固定枠５６を所定の位置関係とした後、スペーサ３０に設けられた立設部３０ｂを導光板固定枠５６の背後に回り込むようにして折り曲げることによって、高い信頼性でスペーサ３０、バックライトユニット４０、および導光板固定枠５６を一体化することができる。
【００７２】
前述したように、スペーサ３０は、導光板固定枠５６とも一辺を共通にして一体形成されており、スペーサ３０と導光板固定枠５６との間に導光板４４が収められ、共通な一辺の境界線で折り曲げられて、導光板４４および導光板固定枠５６と所定の位置関係となる。また、この折り曲げは、前述したように、スペーサ３０と導光板固定枠５６に共通な一辺における、スペーサ３０と導光板固定枠５６の境界線に切り込み部が形成されているため、境界線において容易に行うことができる。このように、スペーサ３０が導光板固定枠５６と一体に形成されているため、殆ど工数を要することなく、高精度に、スペーサ３０と導光板固定枠５６とを位置合わせできる。
【００７３】
さらに、スペーサ３０の前述した枠部３０ａは、液晶パネル１４、スペーサ３０、およびバックライトユニット４０を模式的に示す断面図である図６に示すように、液晶パネル１４の前述した周辺回路領域１７０に対応する位置に枠部３０ａが形成されている。このように、液晶パネル１４とバックライトユニット４０との間に位置するスペーサ３０の枠部３０ａが、表示領域１３０の周囲に位置する周辺回路領域１７０に対応する位置に形成されているため、バックライトユニット４０から周辺回路領域１７０に及ぶ光や熱を、枠部３０ａによって遮断することができる。本実施形態の周辺回路領域１７０は、前述したように、基板１６上に形成されたポリシリコン層に作り込まれているため、シリコン基板上に形成されたものに比べ光や熱の影響を受けやすく、それらによりリーク電流などが発生しやすい。しかしながら、スペーサ３０の枠部３０ａが、上述のようにバックライトユニット４０から周辺回路領域１７０に及ぶ光や熱を遮蔽するように形成されているため、周辺回路領域１７０に光や熱が及んでリーク電流が発生する可能性を低減することができる。
【００７４】
導光板固定枠５６は、底面部５７を備え、導光板４４を背面側から固定する。前述したように、スペーサ３０と導光板固定枠５６は一辺を共通にして一体形成され、導光板固定枠５６とリフレクタ６６も一辺を共通にして一体形成されている。また、導光板固定枠５６は、図２に示したように、底面部５７から立設された第３位置決め部としての位置決め部５８を複数備えている。複数の位置決め部５８は、導光板４４の端面４７，４７，４６に当接するように形成されており、それによって導光板４４を底面部５７とほぼ平行な面内の所定位置に位置決めする。したがって、導光板４４と導光板固定枠５６を短い工数で高精度に位置合わせできる。また、導光板４４と導光板固定枠５６との位置決めを、両面テープなどを用いずに行うことができるため、両面テープの貼付などのために発光面として用いることができない額縁領域ひいては外形が増加することがなく、両面テープなどによって重量や厚さが増加することもない。また、底面部５７において導光板４４に面する側を高反射率に形成すれば、導光板４４の背面側に逃げる光を利用することが可能となるため、エネルギー効率を高めることができる。
【００７５】
また、複数の位置決め部５８は、導光板４４の端面のうち蛍光管５０が配置されていない端面４７，４７，４６をそれぞれほぼ密着して覆う平面状に形成されている。また、それら位置決め部５８，５８，５８の導光板４４に面する側は、十分な反射率を備えて形成されているため、それら位置決め部５８，５８，５８によって蛍光管５０からの光の利用効率を向上させることができる。
【００７６】
そして、図２から明らかなように、導光板固定枠５６の４辺により囲まれる面積は、スペーサ３０の４辺により囲まれる面積より小さく形成されている。これは、スペーサ３０が、液晶パネル１４を保持固定するために少なくとも液晶パネル１４の全領域に対応する平面形状を備える必要があり、導光板固定枠５６が液晶パネル１４の表示領域に対応する平面形状を有する導光板４４に対応した平面形状を持っていればよいためである。これによって、導光板固定枠５６をスペーサ３０とほぼ等しい平面形状とした場合に比べて、導光板固定枠５６が小型となるため、液晶表示装置１０を表示領域の大きさに比し小型軽量とすることができる。
【００７７】
上述したように、本実施形態の表示装置としての液晶表示装置１０においては、パネル固定枠１２とスペーサ３０、スペーサ３０と導光板固定枠５６、および、導光板固定枠５６とリフレクタ６６が、それぞれ一辺を共通にして一体形成されている。そして、パネル固定枠１２とスペーサ３０の間に液晶パネル１４、スペーサ３０と導光板固定枠５６の間に導光板４４を、それぞれ両面テープなどを用いることなく、位置決め部によって位置決めし、立設部によって固定して形成できる。そのため、両面テープなどを用いる場合のように、微妙な位置合わせを行う必要がなく、短い工数で高精度に位置合わせして表示装置を製造することができる。また、各部の固定に両面テープなどを用いる場合のように、両面テープなどを用いた領域が表示に使用できない領域となってしまうことがないため、表示装置の額縁領域を小さくすることができる。さらに、両面テープなどを用いないため、両面テープなどの分だけ表示装置の厚さが増したり、重量が増加することがなく、小型軽量化できる。そして、両面テープなどを用いる場合のように、高温高湿環境下や低温環境下での使用または経時変化等により粘着力が低下して剥がれなどが発生することがないため、そのような原因のために液晶表示パネル１４とスペーサ３０やバックライトユニット４０などとの間で位置ずれが生じて、表示領域の一部が見えない状態となったりする可能性がなく、高い信頼性を備えた液晶表示装置１０が得られる。
【００７８】
１．２  表示パネル
図７は、本実施形態の表示パネルとしての液晶パネル１４の平面図である。また、図８は、液晶パネル１４の端部付近（図７に示した線Ｈ−Ｉに沿った位置）における詳細を示す部分断面図である。
【００７９】
これらの図に示すように、液晶パネル１４は、石英ガラスまたは耐熱ガラスなどで形成された基板１６の表面にＩＴＯ（Indium Tin Oxide）膜からなる画素電極１７がマトリクス状に形成されたアクティブマトリクス基板１５と、やはり石英ガラスまたは耐熱ガラスなどで形成された基板２５の表面に対向電極２６が形成された対向基板２４と、これらの基板間に封入、挟持されている液晶８６とを含んで構成されている。ここで、アクティブマトリクス基板１５では、基板１６の表面のうち、画素スイッチング用のＴＦＴ１８が形成される領域の下層側には予め遮光膜１９が形成される。そして、その表面に保護膜２０が形成された後、ＴＦＴ１８および画素電極１７が形成され、それらの表面が配向膜２１で覆われた構成になっている。なお、この液晶パネル１４を用いてカラー表示を行う場合には、対向基板２４の各画素に対向する領域にカラーフィルタが形成される。
【００８０】
アクティブマトリクス基板１５と対向基板２４とは、それらの間に分散配置されたギャップ材（図示せず）によって所定間隔に保たれ、対向基板２４の外周縁に沿って配置されたシール材７６によって貼り合わされている。このようにして、アクティブマトリクス基板１５、対向基板２４、およびシール材７６によって画成された領域に、電気光学物質としての液晶８６が封入されている。ここで、図７に示したように、シール材７６は部分的に途切れて配置されており、その途切れた部分が液晶注入口８０となっている。このため、対向基板２４とアクティブマトリクス基板１５とを貼り合わせた後、シール材７６の内側領域を減圧状態にすることによって、液晶注入口８０から液晶８６を減圧注入することができる。液晶注入口８０は、液晶８６が注入された後に、樹脂からなる封止部２２によって封止される。
【００８１】
アクティブマトリクス基板１５においては、表示領域の周辺に位置する領域が周辺回路領域とされ、この領域に、画素スイッチング用のＴＦＴ１８と同時形成された駆動回路用のＴＦＴ（図示せず）を用いて構成された走査線駆動回路１７１やデータ線駆動回路１７４が形成されている。また、アクティブマトリクス基板１５の端部に形成された入出力端子８１は、対向基板２４からはみ出した領域に位置する。
【００８２】
対向基板２４には、シール材７６の形成領域の内側であって表示領域でない領域を遮光する遮光膜２７、およびアクティブマトリクス基板１５の各画素電極１７の境界領域に対応する領域を遮光する遮光膜２８が形成されている。そして、これらの遮光膜２７、２８の表面側に対向電極２６が形成され、対向電極２６を覆って配向膜２９が形成されている。
また、液晶パネル１４は、アクティブマトリクス基板１５および対向基板２４の光入射側および光出射側の面に、ノーマリホワイトモード／ノーマリブラックモードの別に応じて、プラスチックシートを用いて形成された偏光板（偏光シート）８４，８５が所定の向きに配置される。
【００８３】
なお、本実施形態では、アクティブマトリクス基板１５の方から光が入射して、対向基板２４の方から出射される構成になっているが、その逆に、対向基板２４の方から光が入射して、アクティブマトリクス基板１５の方から出射される構成であってもよい。
【００８４】
このように構成した液晶パネル１４において、アクティブマトリクス基板１５では、データ線（図示せず）およびＴＦＴ１８を介して画素電極１７に印加した画像信号によって、画素電極１７と対向電極２６との間において液晶８６の配向状態を画素毎に制御し、画像信号に対応した所定の画像を表示する。例えば、液晶パネル１４をＴＮモードで構成した場合に、一対の基板間（アクティブマトリクス基板１５と対向基板２４）の各々に形成した配向膜２１，２９に対してラビング処理を行う際にラビング方向を互いに直交する方向に設定すると、液晶８６は、基板間で９０°の角度をもって捩じれ配向する。このような捩じれ配向は、基板間で液晶８６に電場をかけることによって解放される。したがって、基板間に外部から電場を印加するか否かによって、液晶８６の配向状態を画素電極１７が形成されている領域毎（画素毎）に制御することができる。そのため、透過型の液晶パネル１４であれば、光源すなわちバックライトユニット４０からの光は、入射側の偏光板８４によって所定の直線偏光に揃えられた後、液晶８６の層に入射し、ある領域を透過する直線偏光は、旋光されて偏光面が捩じられて出射される一方、他の領域を通過した直線偏光は、旋光されず偏光面が捩じられることなく出射する。このため、入射側の偏光板８４と出射側の偏光板８５を互いの透過軸が直交するように配置しておけば（ノーマリホワイト）、液晶パネル１４の出射側に配置された偏光板８５を通過するのは、液晶８６によって偏光面が捩じられた方の直線偏光のみである。これに対して、入射側の偏光板８４と透過軸が平行になるように出射側の偏光板８５を配置しておけば（ノーマリブラック）、液晶パネル１４の出射側に配置された偏光板８５を通過するのは、液晶８６によって偏光面が捩じられることのなかった直線偏光のみである。よって、液晶８６の配向状態を画素ごとに制御すれば、任意の情報を表示することができる。
【００８５】
したがって、アクティブマトリクス基板１５においてデータ線および画素スイッチング用のＴＦＴ１８を介して画素電極１７に画像信号を供給するとともに、対向電極２６にも所定の電位を印加する必要がある。そこで、液晶パネル１４では、アクティブマトリクス基板１５の表面のうち、対向基板２４の各コーナー部に対向する部分には、データ線などの形成プロセスを利用してアルミニウム膜（遮光性材料）からなる上下導通用の第１導通電極７８が形成されている。一方、対向基板２４の各コーナー部には、対向電極２６の形成プロセスを援用してＩＴＯ膜（光透過性材料）からなる上下導通用の第２導通電極７９が形成されている。さらに、これらの上下導通用の第１導通電極７８と第２導通電極７９とは、エポキシ樹脂系の接着剤成分に銀粉や金めっきファイバーなどの導電粒子が配合された導通材７７によって電気的に導通している。そのため、液晶パネル１４では、アクティブマトリクス基板１５および対向基板２４のそれぞれにフレキシブル配線基板などを接続しなくても、アクティブマトリクス基板１５のみにフレキシブル配線基板８２を接続するだけで、アクティブマトリクス基板１５および対向基板２４の双方に所定の信号を入力することができる。
【００８６】
図９は、上述のような構造を持つ液晶パネル１４の電気的な構成を模式的に示すブロック図である。この図に示すように、液晶パネル１４には、表示領域１３０と周辺回路領域１７０とが設けられている。
【００８７】
表示領域１３０には、データ線１３１および走査線１３２と、データ線１３１および走査線１３２に接続された画素スイッチング用のＴＦＴ１８と、このＴＦＴ１８を介してデータ線１３１から画像信号が入力される液晶セル１３５が存在する。また、ＴＦＴ１８と液晶セル１３５とを含んで形成される各画素は、容量線１３３との間に容量素子１３６を備え、この容量素子１３６は、液晶セル１３５における電荷の保持特性を高める機能を果たしている。
【００８８】
周辺回路領域１７０は、走査線駆動回路１７１およびデータ線駆動回路１７４を備えている。走査線駆動回路１７１は、走査線１３２に接続され、シフトレジスタ１７２およびレベルシフタ１７３を含んで構成される。データ線駆動回路１７４は、データ線１３１に接続され、シフトレジスタ１７５、レベルシフタ１７６、ビデオライン１７７、スイッチ１７８を含んで構成される。
【００８９】
１．３  表示装置を備えた電子機器
図１０（Ａ）、（Ｂ）、および（Ｃ）は、本実施形態の表示装置である液晶表示装置１０を表示部として用いた電子機器の例を示す外観図である。図１０（Ａ）は、携帯電話機８８であり、その前面上方に液晶表示装置１０を備えている。図１０（Ｂ）は、腕時計９２であり、本体の前面中央に液晶表示装置１０を用いた表示部が設けられている。図１０（Ｃ）は、携帯情報機器９６であり、液晶表示装置１０からなる表示部と入力部９８とを備えている。これらの電子機器は、液晶表示装置１０の他に、図示しないが、表示情報出力源、表示情報処理回路、クロック発生回路などの様々な回路や、それらの回路に電力を供給する電源回路などからなる表示信号生成部を含んで構成される。表示部には、例えば携帯情報機器の場合にあっては入力部９８から入力された情報等に基づき表示信号生成部によって生成された表示信号が供給されることによって表示画像が形成される。
【００９０】
なお、本実施形態の液晶表示装置１０が組み込まれる電子機器としては、携帯電話機、腕時計、および携帯情報機器に限らず、ノート型パソコン、電子手帳、ページャ、電卓、ＰＯＳ端末、ＩＣカード、ミニディスクプレーヤなど様々な電子機器が考えられる。
【００９１】
１．４  第１実施形態の変形例
ここで、前述した第１実施形態に適用可能な変形例について説明する。下記の各変形例においては前述した第１実施形態と異なる点のみ記載して説明する。
【００９２】
１．４．１  上記においては、小光源として用いられたチップ実装型の発光ダイオードの形状に対応した切欠き部が、導光板に形成された例を示した。しかしながら、図１１に分解斜視図として示すように、導光板１０２には切欠き部を設けず、単に蛍光管５０の端部と導光板１０２との間に小光源５４が配置されるようにしてもよい。
【００９３】
１．４．２  上記においては、小光源として、蛍光管５０の各端部付近に対応してチップ実装型の発光ダイオードが用いられた例を示した。しかしながら、小光源としては、図１２に模式的な分解平面図として示したように、小光源１１６として砲弾型の発光ダイオードを用い、導光板１１２に形成する切欠き部１１４を砲弾型の発光ダイオードに対応した形状としてもよい。
【００９４】
２．  ＜第２実施形態＞
第１実施形態においては、スペーサの枠部のほぼ全体が液晶パネル１４に接触する例を示した。本実施形態は、スペーサが壁部を備え、その壁部によって、枠部と表示パネルとの間隔を保ち、しかもバックライトユニットから周辺回路領域への光漏れを防ぐ点が、第１実施形態とは異なる。それ以外については、第１実施形態と同様に構成されており、その説明を省略する。また、図面において、第１実施形態と同様な各部には、第１実施形態と同一の符号を付す。
【００９５】
２．１  スペーサ
図１３は、便宜的に本実施形態のスペーサ１８０のみを、前面側すなわち液晶パネル１４に面する側から見た斜視図である。また、図１４は、液晶パネル１４、スペーサ１８０、およびバックライトユニット４０を示す模式的な分解断面図である。なお、これらの図においては、立設部３０ｂおよび位置決め部３０ｄは省略して描いてある。
【００９６】
これらの図に示すように、スペーサ１８０は、枠部３１ａの内縁に沿って壁状に連続して形成された均一高の壁部１８１と、枠部３１ａ上に壁部１８１と同一高に形成された複数の凸部１８３とを備えている。壁部１８１によって、囲まれる領域、すなわちスペーサの開口領域１８２は、図１４に示すように液晶パネル１４の表示領域１３０に対応している。スペーサ１８０は、この位置関係で壁部１８１と凸部１８３とが液晶パネル１４に当接するように配置される。これによって、枠部３０ａと表示パネル１４との間隔は壁部１８１の高さに保たれる。しかも、壁部１８１はスペーサの開口領域１８２を囲んで連続した壁状に形成されているため、バックライトユニット４０から、液晶パネル１４の周辺回路領域１７０への光漏れを防ぐことができる。
【００９７】
本実施形態においては、スペーサ１８０に設けられた壁部１８１によって、液晶パネル１４とバックライトユニット４０との間の距離が、壁部１８１の高さ分だけ広がることになるため、バックライトユニット４０の熱による液晶パネル１４に対する影響をさらに低減することができる。しかも、壁部１８１はバックライトユニット４０から周辺回路領域１７０への光漏れを防ぐように形成されているため、バックライトユニット４０からの光による液晶パネル１４に対する影響も防ぐことができる。
【００９８】
２．２  第２実施形態の変形例
ここで、前述した第２実施形態に適用可能な変形例について説明する。下記の変形例においては前述した第２実施形態と異なる点のみ記載して説明する。
【００９９】
２．２．１  スペーサ１８０の壁部は、枠部３１ａの内周からのみではなく、例えば、液晶パネル１４、スペーサ１８０、およびバックライトユニット４０を示す模式的な分解断面図である図１５に示すように、樹脂材料などによって枠部３１ａ全体が厚さを増すように形成した壁部１８５としてもよい。これによっても、液晶パネル１４とバックライトユニット４０との間の距離が、壁部１８５の高さ分だけ広がることになるため、バックライトユニット４０の熱による液晶パネル１４に対する影響を低減することができる。また、壁部１８５によってバックライトユニット４０から周辺回路領域１７０への光漏れが防止されるため、バックライトユニット４０からの光による液晶パネル１４に対する影響も防ぐことができる。
【０１００】
３．  ＜他の変形例＞
ここで、前述した各実施形態に適用可能な変形例について説明する。下記の各変形例においては前述した各実施形態と異なる点のみ記載して説明する。
【０１０１】
３．１  前述した各実施形態においては、導光板固定枠５６とスペーサ３０とが一辺を共通にして一体形成されている例を示した。しかしながら、導光板固定枠とスペーサとを一体ではなく、導光板固定枠とスペーサとの共通な一辺における境界線で切り離した形状に形成して、導光板固定枠をスペーサとは別個の部材としてもよい。
【０１０２】
３．２  前述した各実施形態においては、パネル固定枠１２、スペーサ３０、導光板固定枠５６、およびリフレクタ６６が金属で形成される例を示したが、これらは、樹脂例えば、アクリル樹脂、ポリプロピレン、または塩化ビニール樹脂などで形成してもよい。
【０１０３】
このように、パネル固定枠１２、スペーサ３０、導光板固定枠５６、およびリフレクタ６６を樹脂で形成することによって、それらを介した熱の伝導が少なく、それらによって電気的に絶縁された表示装置を形成することができる。さらに、回路部分などからリーク電流が、パネル固定枠１２、スペーサ３０、導光板固定枠５６、またはリフレクタ６６に流れ出すことも少ない。
【０１０４】
３．３  前述した各実施形態においては、パネル固定枠１２とスペーサ３０、および、スペーサ３０と導光板固定枠５６のそれぞれの対において、共通な一辺の境界線に予め切り込み部を形成することによって、一体形成された各枠部材をそれらの境界線で容易に折り曲げ加工して形成するようにしていた。しかしながら、このように切り込み部を設けずに、それぞれの境界線において、予め所定の角度より大きな角度で折り曲げプレスを施して折り曲げ部を形成しておき、液晶パネル１４や、バックライトユニット４０を挟み込んだ後に所定の角度まで折り曲げるようにしてもよい。このように、予め折り曲げ部を形成しておくことによって、その位置で容易に折り曲げて、パネル固定枠１２とスペーサ３０、および、スペーサ３０と導光板固定枠５６のそれぞれの対を所定の位置関係とすることができる。
【０１０５】
以上、本発明の実施形態を説明したが、本発明は前述した各実施形態に限定されるものではなく、本発明の要旨の範囲内または特許請求の範囲の均等範囲内でさらに各種の変形実施が可能である。
【図面の簡単な説明】
【図１】第１実施形態の液晶表示装置を示す模式的な分解斜視図である。
【図２】図１に示した枠部材、すなわちパネル固定枠、スペーサ、導光板固定枠、およびリフレクタを拡大して示す斜視図である。
【図３】パネル固定枠とスペーサとの共通な一辺の境界線付近を折り曲げ前の状態として示す断面図である。
【図４】バックライトユニットの分解斜視図である。
【図５】図１に示した矢印Ａの方向から見た、パネル固定枠およびスペーサの斜視図である。
【図６】液晶パネル、スペーサ、およびバックライトユニットを模式的に示す断面図である。
【図７】第１実施形態の液晶パネルを示す平面図である。
【図８】図７に示した線Ｈ−Ｉに沿った位置における部分断面図である。
【図９】第１実施形態の液晶パネルの電気的構成を示すブロック図である。
【図１０】第１実施形態の液晶表示装置を用いた電子機器を示す外観図であり、（Ａ）は携帯電話機であり、（Ｂ）は腕時計であり、（Ｃ）は携帯情報機器である。
【図１１】第１実施形態の変形例におけるバックライトユニットを示す分解斜視図である。
【図１２】第１実施形態の他の変形例におけるバックライトユニットを示す分解平面図である。
【図１３】第２実施形態のスペーサのみを、前面側すなわち液晶パネルに面する側から見た斜視図である。
【図１４】第２実施形態における、液晶パネル、スペーサ、およびバックライトユニットの位置関係を示す模式的な分解断面図である。
【図１５】第２実施形態の変形例における、液晶パネル、スペーサ、およびバックライトユニットの位置関係を示す模式的な分解断面図である。
【符号の説明】
１０  液晶表示装置
１２  パネル固定枠
１２ａ  枠部（第１枠部）
１４  液晶パネル
３０，１８０  スペーサ
３０ａ  枠部（第２枠部）
３０ｂ  立設部（第２立設部）
３０ｄ  位置決め部（第２位置決め部）
３８  切り込み部
４０，１００，１１０  バックライトユニット（面光源ユニット）
４４，１０２，１１２  導光板
４５  端面（一端面）
４６，４７  端面（他の端面）
４８，１１４  切欠き部
５０  蛍光管（光源部）
５４，１１６  小光源
５６  導光板固定枠
５７  底面部
５８  位置決め部（第３位置決め部）
６６  リフレクタ
８８  携帯電話機（電子機器）
９２  腕時計（電子機器）
９６  携帯情報機器（電子機器）
１３０  表示領域
１７０  周辺回路領域
１８１，１８５  壁部
【図１】
0003664034.tif 000002
【図２】
0003664034.tif 000003
【図３】
0003664034.tif 000004
【図４】
0003664034.tif 000005
【図５】
0003664034.tif 000006
【図６】
0003664034.tif 000007
【図７】
0003664034.tif 000008
【図８】
0003664034.tif 000009
【図９】
0003664034.tif 000010
【図１０】
0003664034.tif 000011
【図１１】
0003664034.tif 000012
【図１２】
0003664034.tif 000013
【図１３】
0003664034.tif 000014
【図１４】
0003664034.tif 000015
【図１５】
0003664034.tif 000016